(57)【要約】      （修正有）【課題】キャッシュレス投票端末の利用の促進を図る会員情報サーバ、キャッシュレス投票端末、公営競技投票システム及び個人認証方法を提供する。【解決手段】会員情報サーバは、会員ＩＤと生体認証データとの対応付けである第一対応付け、及び、投票に使用されたキャッシュレス投票端末の設置場所と生体認証データとの対応付けである第二対応付けを記憶する記憶部と、キャッシュレス投票端末を使用した本日の１回目の投票では、１回目の投票に使用されたキャッシュレス投票端末によって取得された会員ＩＤ及び生体認証データと、第一対応付けとを照合して個人認証を行い、キャッシュレス投票端末を使用した本日の２回目以降の投票では、２回目以降の投票に使用されたキャッシュレス投票端末の設置場所及び２回目以降の投票に使用されたキャッシュレス投票端末によって取得された生体認証データと、第二対応付けとを照合して個人認証を行う照合部と、備える。【選択図】図４
2019128656.tif 000002
【特許請求の範囲】
【請求項１】
会員ＩＤと生体認証データとの対応付けである第一対応付け、及び、投票に使用されたキャッシュレス投票端末の設置場所と生体認証データとの対応付けである第二対応付けを記憶する記憶部と、
前記キャッシュレス投票端末を使用した本日の１回目の投票では、前記１回目の投票に使用された前記キャッシュレス投票端末によって取得された会員ＩＤ及び生体認証データと、前記第一対応付けとを照合して個人認証を行い、前記キャッシュレス投票端末を使用した本日の２回目以降の投票では、前記２回目以降の投票に使用された前記キャッシュレス投票端末の設置場所及び前記２回目以降の投票に使用された前記キャッシュレス投票端末によって取得された生体認証データと、前記第二対応付けとを照合して前記個人認証を行う照合部と、
を具備する会員情報サーバ。
【請求項２】
前記照合部は、前記２回目以降の投票でも、前記２回目以降の投票における投票金額が閾値以上である場合は、前記２回目以降の投票に使用された前記キャッシュレス投票端末によって取得された会員ＩＤ及び生体認証データと、前記第一対応付けとを照合して個人認証を行う、
請求項１に記載の会員情報サーバ。
【請求項３】
現金を使用せずに投票が可能なキャッシュレス投票端末であって、
前記キャッシュレス投票端末を使用した投票が本日の１回目の投票であるか本日の２回目以降の投票であるかを判断する制御部と、
前記投票が前記１回目の投票である場合、及び、前記投票が前記２回目以降の投票である場合の何れの場合も、投票者の生体認証データを取得するセンサと、
前記投票が前記１回目の投票である場合は、会員ＩＤが記録された会員カードを読み取って前記会員カードから前記会員ＩＤを取得する一方で、前記投票が前記２回目以降の投票である場合は、前記会員カードに対する読取を行わないカードリーダと、
前記投票が前記１回目の投票である場合は、前記カードリーダによって取得された前記会員ＩＤと前記センサによって取得された前記生体認証データとを会員情報サーバへ送信し、前記投票が前記２回目以降の投票である場合は、前記センサによって取得された前記生体認証データを前記会員情報サーバへ送信する一方で前記会員ＩＤを送信しない通信部と、
を具備するキャッシュレス投票端末。
【請求項４】
前記カードリーダは、前記投票が前記２回目以降の投票である場合でも、前記２回目以降の投票における投票金額が閾値以上である場合は、前記会員ＩＤが記録された前記会員カードを読み取って前記会員カードから前記会員ＩＤを取得し、
前記通信部は、前記投票が前記２回目以降の投票である場合でも、前記２回目以降の投票における前記投票金額が前記閾値以上である場合は、前記カードリーダによって取得された前記会員ＩＤと前記センサによって取得された前記生体認証データとを前記会員情報サーバへ送信する、
請求項３に記載のキャッシュレス投票端末。
【請求項５】
現金を使用せずに投票が可能なキャッシュレス投票端末と、
会員情報サーバと、
を具備する公営競技投票システムであって、
前記キャッシュレス投票端末は、
前記キャッシュレス投票端末を使用した投票が本日の１回目の投票であるか本日の２回目以降の投票であるかを判断し、
前記投票が前記１回目の投票である場合、及び、前記投票が前記２回目以降の投票である場合の何れの場合も、投票者の生体認証データを取得し、
前記投票が前記１回目の投票である場合は、会員ＩＤが記録された会員カードを読み取って前記会員カードから前記会員ＩＤを取得する一方で、前記投票が前記２回目以降の投票である場合は、前記会員カードに対する読取を行わず、
前記投票が前記１回目の投票である場合は、前記カードリーダによって取得された前記会員ＩＤと前記センサによって取得された前記生体認証データとを会員情報サーバへ送信し、前記投票が前記２回目以降の投票である場合は、前記センサによって取得された前記生体認証データを前記会員情報サーバへ送信する一方で前記会員ＩＤを送信せず、
前記会員情報サーバは、
会員ＩＤと生体認証データとの対応付けである第一対応付け、及び、投票に使用されたキャッシュレス投票端末の設置場所と生体認証データとの対応付けである第二対応付けを記憶し、
前記キャッシュレス投票端末を使用した本日の１回目の投票では、前記１回目の投票に使用された前記キャッシュレス投票端末によって取得された会員ＩＤ及び生体認証データと、前記第一対応付けとを照合して個人認証を行い、
前記キャッシュレス投票端末を使用した本日の２回目以降の投票では、前記２回目以降の投票に使用された前記キャッシュレス投票端末の設置場所及び前記２回目以降の投票に使用された前記キャッシュレス投票端末によって取得された生体認証データと、前記第二対応付けとを照合して前記個人認証を行う、
公営競技投票システム。
【請求項６】
会員ＩＤと生体認証データとの対応付けである第一対応付け、及び、投票に使用されたキャッシュレス投票端末の設置場所と生体認証データとの対応付けである第二対応付けを記憶部に記憶し、
前記キャッシュレス投票端末を使用した本日の１回目の投票では、前記１回目の投票に使用された前記キャッシュレス投票端末によって取得された会員ＩＤ及び生体認証データと、前記第一対応付けとを照合して個人認証を行い、前記キャッシュレス投票端末を使用した本日の２回目以降の投票では、前記２回目以降の投票に使用された前記キャッシュレス投票端末の設置場所及び前記２回目以降の投票に使用された前記キャッシュレス投票端末によって取得された生体認証データと、前記第二対応付けとを照合して前記個人認証を行う、
個人認証方法。
【発明の詳細な説明】
【技術分野】
【０００１】
本発明は、会員情報サーバ、キャッシュレス投票端末、公営競技投票システム及び個人認証方法に関する。
【背景技術】
【０００２】
競馬、競輪、競艇及びオートレース等の公営競技では、最近、現金を使用せずに投票が可能な「キャッシュレス投票端末」が普及しつつある。キャッシュレス投票端末を用いた投票では、投票者は、会員カードを用いることで、現金を使用せずに簡単・スピーディーな投票が可能である。
【０００３】
また、キャッシュレス投票端末を用いて投票が行われる際には、投票者の個人認証が行われる。投票者の個人認証を行う技術の一つに、投票者の生体認証データを用いるものがある。生体認証データの一例として、手のひらの静脈パターンのデータ（以下では「静脈データ」と呼ぶことがある）、指紋パターンのデータ（以下では「指紋データ」と呼ぶことがある）、及び、虹彩パターンのデータ（以下では「虹彩データ」と呼ぶことがある）等が挙げられる。
【先行技術文献】
【特許文献】
【０００４】
【特許文献１】特開２０１２−０７３８６８号公報
【特許文献２】特開２０１７−１１１５１１号公報
【発明の概要】
【発明が解決しようとする課題】
【０００５】
従来、キャッシュレス投票端末を用いた投票の際の生体認証データによる個人認証は、１対１認証で行われているため、キャッシュレス投票端末は、投票者の生体認証データを取得するとともに、会員カードに記録された会員ＩＤ（identification）を取得している。よって、従来、投票者は、キャッシュレス投票端末を用いて投票を行う度に、キャッシュレス投票端末に会員カードを読み取らせる作業と、自身の生体認証データをキャッシュレス投票端末に取得させる作業とが必要であったため、キャッシュレス投票端末を用いて投票を行うことに煩わしさを感じていた。キャッシュレス投票端末を使用した投票に煩わしさがあることは、キャッシュレス投票端末の利用の促進を妨げる一因となっている。
【０００６】
開示の技術は、上記に鑑みてなされたものであって、キャッシュレス投票端末の利用の促進を図ることを目的とする。
【課題を解決するための手段】
【０００７】
開示の態様では、現金を使用せずに投票が可能なキャッシュレス投票端末は、制御部と、センサと、カードリーダと、通信部とを有する。前記制御部は、前記キャッシュレス投票端末を使用した投票が本日の１回目の投票であるか本日の２回目以降の投票であるかを判断する。前記センサは、前記投票が前記１回目の投票である場合、及び、前記投票が前記２回目以降の投票である場合の何れの場合も、投票者の生体認証データを取得する。前記カードリーダは、前記投票が前記１回目の投票である場合は、会員ＩＤが記録された会員カードを読み取って前記会員カードから前記会員ＩＤを取得する一方で、前記投票が前記２回目以降の投票である場合は、前記会員カードに対する読取を行わない。前記通信部は、前記投票が前記１回目の投票である場合は、前記カードリーダによって取得された前記会員ＩＤと前記センサによって取得された前記生体認証データとを会員情報サーバへ送信し、前記投票が前記２回目以降の投票である場合は、前記センサによって取得された前記生体認証データを前記会員情報サーバへ送信する一方で前記会員ＩＤを送信しない。
【０００８】
また、開示の態様では、会員情報サーバは、記憶部と、照合部とを有する。前記記憶部は、会員ＩＤと生体認証データとの対応付けである第一対応付け、及び、投票に使用されたキャッシュレス投票端末の設置場所と生体認証データとの対応付けである第二対応付けを記憶する。前記照合部は、前記キャッシュレス投票端末を使用した本日の１回目の投票では、前記１回目の投票に使用された前記キャッシュレス投票端末によって取得された会員ＩＤ及び生体認証データと、前記第一対応付けとを照合して個人認証を行い、前記キャッシュレス投票端末を使用した本日の２回目以降の投票では、前記２回目以降の投票に使用された前記キャッシュレス投票端末の設置場所及び前記２回目以降の投票に使用された前記キャッシュレス投票端末によって取得された生体認証データと、前記第二対応付けとを照合して前記個人認証を行う。
【発明の効果】
【０００９】
開示の態様によれば、キャッシュレス投票端末の利用の促進を図ることができる。
【図面の簡単な説明】
【００１０】
【図１】図１は、実施例１の公営競技投票システムの構成例を示す図である。
【図２】図２は、実施例１のキャッシュレス投票端末の外観の一例を示す図である。
【図３】図３は、実施例１のキャッシュレス投票端末の構成例を示す図である。
【図４】図４は、実施例１の会員情報サーバの構成例を示す図である。
【図５】図５は、実施例１の公営競技投票システムの処理例の説明に供する図である。
【図６】図６は、実施例１のキャッシュレス投票端末の画面表示の一例を示す図である。
【図７】図７は、実施例１のメインテーブルの一例を示す図である。
【図８】図８は、実施例１の設置場所テーブルの一例を示す図である。
【図９】図９は、実施例１のサブテーブルの一例を示す図である。
【図１０】図１０は、実施例２のキャッシュレス投票端末のハードウェア構成例を示す図である。
【図１１】図１１は、実施例２の会員情報サーバのハードウェア構成例を示す図である。
【発明を実施するための形態】
【００１１】
以下に、本願の開示する会員情報サーバ、キャッシュレス投票端末、公営競技投票システム及び個人認証方法を図面に基づいて説明する。なお、この実施例により本願の開示する会員情報サーバ、キャッシュレス投票端末、公営競技投票システム及び個人認証方法が限定されるものではない。また、各実施例において同一の機能を有する構成、及び、同一の処理を行うステップには同一の符号を付す。
【００１２】
以下では、公営競技の一例として競馬を挙げて説明する。しかし、本願に開示の技術が適用可能な公営競技は競馬に限定されない。本願に開示の技術は、競輪、競艇またはオートレース等、競馬以外の公営競技にも適用可能である。また、以下では、生体認証データの一例として静脈データを挙げて説明する。しかし、本願に開示の技術が適用可能な生体認証データは静脈データに限定されない。本願に開示の技術は、指紋データや虹彩データ等、静脈データ以外の生体認証データにも適用可能である。
【００１３】
［実施例１］
＜公営競技投票システムの構成＞
図１は、実施例１の公営競技投票システムの構成例を示す図である。図１において、公営競技投票システム１は、キャッシュレス投票端末１０−１〜１０−６の６台のキャッシュレス投票端末と、会員情報サーバ２０と、投票サーバ３０とを有する。キャッシュレス投票端末１０−１〜１０−３は「Ａ場」に設置され、キャッシュレス投票端末１０−４〜１０−６は「Ｂ場」に設置されている。つまり、キャッシュレス投票端末１０−１〜１０−３の設置場所はＡ場で互いに同一であり、キャッシュレス投票端末１０−４〜１０−６の設置場所はＢ場で互いに同一である一方で、キャッシュレス投票端末１０−１〜１０−３の設置場所と、キャッシュレス投票端末１０−４〜１０−６の設置場所とは互いに異なる。Ａ場及びＢ場は、競馬場または場外馬券売場である。以下では、キャッシュレス投票端末１０−１〜１０−６を区別しない場合には「キャッシュレス投票端末１０」と総称することがある。キャッシュレス投票端末１０と会員情報サーバ２０と投票サーバ３０とは、ネットワーク４０を介して互いに接続されており、相互に通信可能である。図１では６台のキャッシュレス投票端末１０を一例として挙げているが、ネットワーク４０に接続可能なキャッシュレス投票端末１０の台数は６台に限定されない。
【００１４】
キャッシュレス投票端末１０は、現金を使用しない投票が可能であり、投票内容が印刷されたレシート（以下では「投票内容レシート」と呼ぶことがある）を発行する。
【００１５】
会員情報サーバ２０は、会員情報を管理し、キャッシュレス投票端末１０を用いた投票の際の静脈データによる個人認証を行う。
【００１６】
投票サーバ３０は、レースの開催日や開催場等のレース情報、及び、各レースの投票結果やオッズ等の投票情報を管理する。
【００１７】
＜キャッシュレス投票端末の外観＞
図２は、実施例１のキャッシュレス投票端末の外観の一例を示す図である。図２において、キャッシュレス投票端末１０は、タッチパネル１０１と、手のひら静脈センサ１０２と、会員カードリーダ１０３と、マークカード排出口１０４と、マークカード挿入口１０５と、レシート排出口１０６とを有する。
【００１８】
手のひら静脈センサ１０２は、投票者の手のひらの静脈パターンを読み取って投票者の静脈データを取得する。
【００１９】
会員カードリーダ１０３は、会員カードに記録された会員ＩＤを会員カードから読み取って取得する。会員カードリーダ１０３は、近距離での無線通信により、会員カードから会員ＩＤを読み取る。
【００２０】
マークカード挿入口１０５は、投票者によりマークカードを挿入される。投票者は、マークカードにより投票内容を指定する。
【００２１】
マークカード排出口１０４は、返却されるマークカードを排出する。
【００２２】
レシート排出口１０６は、投票内容レシートを排出する。
【００２３】
＜キャッシュレス投票端末の構成＞
図３は、実施例１のキャッシュレス投票端末の構成例を示す図である。図３において、キャッシュレス投票端末１０は、制御部１１と、通信部１２と、会員カードリーダ１０３と、手のひら静脈センサ１０２と、マークカードリーダ１３と、印刷部１４とを有する。通信部１２、会員カードリーダ１０３、手のひら静脈センサ１０２、マークカードリーダ１３及び印刷部１４は、制御部１１による制御の下で動作する。
【００２４】
通信部１２は、ネットワーク４０を介して会員情報サーバ２０及び投票サーバ３０と通信する。
【００２５】
マークカードリーダ１３は、マークカード挿入口１０５に挿入されたマークカードを読み取る。投票者は、マークカードにより投票内容を指定する。
【００２６】
印刷部１４は、投票内容レシートを印刷する。
【００２７】
＜会員情報サーバの構成＞
図４は、実施例１の会員情報サーバの構成例を示す図である。図４において、会員情報サーバ２０は、制御部２１と、通信部２２と、記憶部２３とを有する。制御部２１は、照合部２１１を有する。通信部２２は、制御部２１による制御の下で動作する。通信部２２は、ネットワーク４０を介してキャッシュレス投票端末１０と通信する。
【００２８】
＜公営競技投票システムの処理＞
図５は、実施例１の公営競技投票システムの処理例の説明に供する図である。
【００２９】
図５において、ステップＳＴ１０１では、キャッシュレス投票端末１０の制御部１１は、自端末を用いて投票を行おうとする投票者による本日の投票回数を判断する。本日の投票回数の判断にあたり、制御部１１は、図６に示す画面をタッチパネル１０１に表示させる。図６は、実施例１のキャッシュレス投票端末の画面表示の一例を示す図である。図６において、タッチパネル１０１に表示される画面には、メッセージＭ１と、ボタンＢ１と、ボタンＢ２とが含まれる。メッセージＭ１の表示内容は、例えば「どちらかを選択してください。」というものである。ボタンＢ１の表示内容は、例えば「本日初めての投票」であり、ボタンＢ２の表示内容は、例えば「本日２回目以降の投票」である。キャッシュレス投票端末１０を用いて投票を行おうとする投票者は、メッセージＭ１に従って、自身の本日の投票回数に応じて、ボタンＢ１またはボタンＢ２の何れか選択してタッチする。制御部１１は、ボタンＢ１がタッチされた場合は、自端末を用いて投票を行おうとする投票者による本日の投票回数が１回目であると判断し、ボタンＢ２がタッチされた場合は、自端末を用いて投票を行おうとする投票者による本日の投票回数が２回目以降であると判断する。本日の投票回数が１回目であると判断された場合は（ステップＳＴ１０１：Ｎｏ）、処理はステップＳＴ１０３へ進み、本日の投票回数が２回目以降であると判断された場合は（ステップＳＴ１０１：Ｙｅｓ）、処理はステップＳＴ１１１へ進む。
【００３０】
ステップＳＴ１０３では、制御部１１は、会員カードリーダ１０３により会員カードが読み取られて会員カードから会員ＩＤが取得されたか否かを判断する。会員ＩＤが取得されない間は（ステップＳＴ１０３：Ｎｏ）、ステップＳＴ１０３の処理が繰り返され、会員ＩＤが取得されると（ステップＳＴ１０３：Ｙｅｓ）、処理はステップＳＴ１０５へ進む。
【００３１】
ステップＳＴ１０５では、制御部１１は、手のひら静脈センサ１０２により投票者の手のひらの静脈パターンが読み取られて投票者の静脈データが取得されたか否かを判断する。静脈データが取得されない間は（ステップＳＴ１０５：Ｎｏ）、ステップＳＴ１０５の処理が繰り返され、静脈データが取得されると（ステップＳＴ１０５：Ｙｅｓ）、処理はステップＳＴ１０７へ進む。
【００３２】
ステップＳＴ１０７では、制御部１１は、照合フラグを「０」に設定する。
【００３３】
次いで、ステップＳＴ１０９では、制御部１１は、「０」に設定された照合フラグと、本日日付である投票日付と、自端末の端末ＩＤ（以下では「自端末ＩＤ」と呼ぶことがある）と、ステップＳＴ１０３で取得された会員ＩＤと、ステップＳＴ１０５で取得された静脈データとを含む照合対象データＸを生成し、通信部１２は、制御部１１により生成された照合対象データＸを会員情報サーバ２０へ送信する。
【００３４】
一方で、ステップＳＴ１１１では、制御部１１は、マークカード上で指定され、マークカードリーダ１３により取得された投票金額が閾値ＴＨ１未満であるか否かを判断する。閾値ＴＨ１は、例えば５０万円である。投票金額が閾値ＴＨ１以上である場合は（ステップＳＴ１１１：Ｎｏ）、処理はステップＳＴ１０３へ進み、投票金額が閾値ＴＨ１未満である場合は（ステップＳＴ１１１：Ｙｅｓ）、処理はステップＳＴ１１３へ進む。
【００３５】
このように、キャッシュレス投票端末１０を使用した投票が本日の１回目の投票である場合、または、キャッシュレス投票端末１０を使用した投票が本日の２回目以降の投票であっても投票金額が閾値ＴＨ１以上である場合は、会員カードリーダ１０３により会員カードが読み取られて会員カードから会員ＩＤを含むカード記録情報が取得される。一方で、キャッシュレス投票端末１０を使用した投票が本日の２回目以降の投票であって、かつ投票金額が閾値ＴＨ１未満である場合は、会員カードリーダ１０３による会員カードに対する読取は行われない。なお、ステップＳＴ１１１の処理は省くことも可能である。
【００３６】
ステップＳＴ１１３では、制御部１１は、手のひら静脈センサ１０２により投票者の手のひらの静脈パターンが読み取られて投票者の静脈データが取得されたか否かを判断する。静脈データが取得されない間は（ステップＳＴ１１３：Ｎｏ）、ステップＳＴ１１３の処理が繰り返され、静脈データが取得されると（ステップＳＴ１１３：Ｙｅｓ）、処理はステップＳＴ１１５へ進む。
【００３７】
ステップＳＴ１１５では、制御部１１は、照合フラグを「１」に設定する。
【００３８】
次いで、ステップＳＴ１１７では、制御部１１は、「１」に設定された照合フラグと、本日日付である投票日付と、自端末ＩＤと、ステップＳＴ１１３で取得された静脈データとを含む照合対象データＹを生成し、通信部１２は、制御部１１により生成された照合対象データＹを会員情報サーバ２０へ送信する。
【００３９】
このように、ステップＳＴ１０１で本日の投票回数が１回目であると判断された場合には照合フラグは「０」に設定され、ステップＳＴ１０１で本日の投票回数が２回目以降であると判断され、かつ、ステップＳＴ１１１で投票金額が閾値ＴＨ１未満であると判断された場合には照合フラグは「１」に設定される。また、ステップＳＴ１０１で本日の投票回数が１回目であると判断された場合に生成される照合対象データＸには会員ＩＤが含まれる一方で、ステップＳＴ１０１で本日の投票回数が２回目以降であると判断され、かつ、ステップＳＴ１１１で投票金額が閾値ＴＨ１未満であると判断された場合に生成される照合対象データＹには会員ＩＤが含まれない。なお、上記のように、ステップＳＴ１１１の処理は省くことも可能である。
【００４０】
ステップＳＴ１０９では、一方で、会員情報サーバ２０の通信部２２は、キャッシュレス投票端末１０から送信された照合対象データＸを受信する。またステップＳＴ１１７では、会員情報サーバ２０の通信部２２は、キャッシュレス投票端末１０から送信された照合対象データＹを受信する。つまり、会員情報サーバ２０において、通信部２２は、キャッシュレス投票端末１０から送信された照合対象データＸまたは照合対象データＹを受信する。ステップＳＴ１０１で本日の投票回数が１回目であると判断された場合には、ステップＳＴ１０９において、照合対象データＸが通信部２２により受信され、ステップＳＴ１０１で本日の投票回数が２回目以降であると判断され、かつ、ステップＳＴ１１１で投票金額が閾値ＴＨ１未満であると判断された場合には、ステップＳＴ１１７において、照合対象データＹが通信部２２により受信される。なお、上記のように、ステップＳＴ１１１の処理は省くことも可能である。
【００４１】
次いで、ステップＳＴ１１９では、制御部２１は、受信された照合対象データ（照合対象データＸまたは照合対象データＹ）に含まれる照合フラグが「１」であるか否かを判断する。照合フラグは上記のように、キャッシュレス投票端末１０の制御部１１によって、「０」または「１」に設定される。照合フラグが「１」である場合は（ステップＳＴ１１９：Ｙｅｓ）、処理はステップＳＴ１２７へ進み、照合フラグが「０」である場合は（ステップＳＴ１１９：Ｎｏ）、処理はステップＳＴ１２１へ進む。つまり、処理がステップＳＴ１１９からステップＳＴ１２１へ進むのは、ステップＳＴ１０１で本日の投票回数が１回目であると判断された場合、または、ステップＳＴ１０１で本日の投票回数が２回目以降であると判断されてもステップＳＴ１１１で投票金額が閾値ＴＨ１以上であると判断された場合である。一方で、処理がステップＳＴ１１９からステップＳＴ１２７へ進むのは、ステップＳＴ１０１で本日の投票回数が２回目以降であると判断され、かつ、ステップＳＴ１１１で投票金額が閾値ＴＨ１未満であると判断された場合である。なお、上記のように、ステップＳＴ１１１の処理は省くことも可能である。
【００４２】
ここで、会員情報サーバ２０の記憶部２３が記憶するメインテーブルＴＡＭ、設置場所テーブルＴＡＬ及びサブテーブルＴＡＳについて説明する。図７は、実施例１のメインテーブルの一例を示す図であり、図８は、実施例１の設置場所テーブルの一例を示す図であり、図９は、実施例１のサブテーブルの一例を示す図である。メインテーブルＴＡＭ及び設置場所テーブルＴＡＬは、記憶部２３に予め記憶されているテーブルであり、サブテーブルＴＡＳは、制御部２１によって設定されて記憶部２３に記憶されるテーブルである。
【００４３】
図７に示すように、メインテーブルＴＡＭには、会員ＩＤと静脈データとの対応付け（以下では「メイン対応付け」と呼ぶことがある）が予め設定されている。
【００４４】
また図８に示すように、設置場所テーブルＴＡＬには、キャッシュレス投票端末１０−１〜１０−６の各々の端末ＩＤである「10-1〜10-6」と、キャッシュレス投票端末１０−１〜１０−６の各々の設置場所（以下では「端末設置場所」と呼ぶことがある）との対応付け（以下では「ＩＤ場所対応付け」と呼ぶことがある）が予め設定されている。
【００４５】
また図９に示すように、サブテーブルＴＡＳには、日付と、投票に使用されたキャッシュレス投票端末１０の設置場所と、静脈データとの対応付け（以下では「サブ対応付け」と呼ぶことがある）が制御部２１によって設定される。
【００４６】
図５に戻り、ステップＳＴ１２１では、照合部２１１は、ステップＳＴ１０９で受信された照合対象データＸとメインテーブルＴＡＭのメイン対応付けとを照合し、メインテーブルＴＡＭを用いて個人認証を行う。
【００４７】
例えば、照合対象データＸにおいて、投票日付が「2017/09/28」であり、自端末ＩＤが「10-1」であり、会員ＩＤが「111222」であり、静脈データが「FFFFF」であった場合、照合部２１１は、照合対象データＸの会員ＩＤ「111222」に基づいてメインテーブルＴＡＭを検索し、メインテーブルＴＡＭにおいて会員ＩＤ「111222」に対応する静脈データ「FFFFF」をメインテーブルＴＡＭから取得する。そして、照合部２１１は、照合対象データＸの静脈データと、メインテーブルＴＡＭから取得した静脈データとを照合し、両者が「FFFFF」で一致するため、個人認証結果を「成功」とする。
【００４８】
また例えば、照合対象データＸにおいて、投票日付が「2017/09/28」であり、自端末ＩＤが「10-4」であり、会員ＩＤが「444444」であり、静脈データが「LLLLL」であった場合、照合部２１１は、照合対象データＸの会員ＩＤ「444444」に基づいてメインテーブルＴＡＭを検索し、メインテーブルＴＡＭにおいて会員ＩＤ「444444」に対応する静脈データ「LLLLL」をメインテーブルＴＡＭから取得する。そして、照合部２１１は、照合対象データＸの静脈データと、メインテーブルＴＡＭから取得した静脈データとを照合し、両者が「LLLLL」で一致するため、個人認証結果を「成功」とする。
【００４９】
一方で、照合部２１１は、照合対象データＸの会員ＩＤがメインテーブルＴＡＭに存在しない場合、または、照合対象データＸの静脈データと、メインテーブルＴＡＭにおいて照合対象データＸの会員ＩＤに対応する静脈データとが一致しない場合は、個人認証結果を「失敗」とする。
【００５０】
次いで、ステップＳＴ１２３では、制御部２１は、ステップＳＴ１２１で行われた個人認証が成功したか否かを判断する。ステップＳＴ１２１での個人認証結果が「成功」の場合は（ステップＳＴ１２３：Ｙｅｓ）、処理はステップＳＴ１２５へ進み、ステップＳＴ１２１での個人認証結果が「失敗」の場合は（ステップＳＴ１２３：Ｎｏ）、ステップＳＴ１２５の処理が行われることなく、処理はステップＳＴ１２９へ進む。
【００５１】
ステップＳＴ１２５では、制御部２１は、ステップＳＴ１０９で受信された照合対象データＸと、メインテーブルＴＡＭと、設置場所テーブルＴＡＬとに基づいて、サブテーブルＴＡＳを設定する。
【００５２】
例えば、照合対象データＸにおいて、投票日付が「2017/09/28」であり、自端末ＩＤが「10-1」であり、会員ＩＤが「111222」であり、静脈データが「FFFFF」であった場合、ステップＳＴ１２５において、制御部２１は、まず、照合対象データＸの自端末ＩＤ「10-1」に基づいて設置場所テーブルＴＡＬを検索し、設置場所テーブルＴＡＬにおいて端末ＩＤ「10-1」に対応する端末設置場所「Ａ場」を設置場所テーブルＴＡＬから取得する。そして、制御部２１は、照合対象データＸの投票日付「2017/09/28」と、設置場所テーブルＴＡＬから取得した設置場所「Ａ場」と、照合対象データＸの静脈データ「FFFFF」とを対応付けてサブテーブルＴＡＳに設定する（図９）。
【００５３】
また例えば、照合対象データＸにおいて、投票日付が「2017/09/28」であり、自端末ＩＤが「10-4」であり、会員ＩＤが「444444」であり、静脈データが「LLLLL」であった場合、ステップＳＴ１２５において、制御部２１は、まず、照合対象データＸの自端末ＩＤ「10-4」に基づいて設置場所テーブルＴＡＬを検索し、設置場所テーブルＴＡＬにおいて端末ＩＤ「10-4」に対応する端末設置場所「Ｂ場」を設置場所テーブルＴＡＬから取得する。そして、制御部２１は、照合対象データＸの投票日付「2017/09/28」と、設置場所テーブルＴＡＬから取得した設置場所「Ｂ場」と、照合対象データＸの静脈データ「LLLLLL」とを対応付けてサブテーブルＴＡＳに設定する（図９）。
【００５４】
一方で、ステップＳＴ１２７では、照合部２１１は、ステップＳＴ１１７で受信された照合対象データＹとサブテーブルＴＡＳのサブ対応付けとを照合し、サブテーブルＴＡＳを用いて個人認証を行う。
【００５５】
例えば、照合対象データＹにおいて、投票日付が「2017/09/28」であり、自端末ＩＤが「10-1」であり、静脈データが「FFFFF」であった場合、照合部２１１は、まず、照合対象データＹの自端末ＩＤ「10-1」に基づいて設置場所テーブルＴＡＬを検索し、設置場所テーブルＴＡＬにおいて端末ＩＤ「10-1」に対応する端末設置場所「Ａ場」を設置場所テーブルＴＡＬから取得する。そして、照合部２１１は、照合対象データＹの投票日付「2017/09/28」と、設置場所テーブルＴＡＬから取得した端末設置場所「Ａ場」とに基づいてサブテーブルＴＡＳを検索し、サブテーブルＴＡＳにおいて投票日付「2017/09/28」及び端末設置場所「Ａ場」に対応する静脈データ「FFFFF」をサブテーブルＴＡＳから取得する。そして、照合部２１１は、照合対象データＹの静脈データと、サブテーブルＴＡＳから取得した静脈データとを照合し、両者が「FFFFF」で一致するため、個人認証結果を「成功」とする。
【００５６】
また例えば、照合対象データＹにおいて、投票日付が「2017/09/28」であり、自端末ＩＤが「10-4」であり、静脈データが「LLLLL」であった場合、照合部２１１は、まず、照合対象データＹの自端末ＩＤ「10-4」に基づいて設置場所テーブルＴＡＬを検索し、設置場所テーブルＴＡＬにおいて端末ＩＤ「10-4」に対応する端末設置場所「Ｂ場」を設置場所テーブルＴＡＬから取得する。そして、照合部２１１は、照合対象データＹの投票日付「2017/09/28」と、設置場所テーブルＴＡＬから取得した端末設置場所「Ｂ場」とに基づいてサブテーブルＴＡＳを検索し、サブテーブルＴＡＳにおいて投票日付「2017/09/28」及び端末設置場所「Ｂ場」に対応する静脈データ「LLLLL」をサブテーブルＴＡＳから取得する。そして、照合部２１１は、照合対象データＹの静脈データと、サブテーブルＴＡＳから取得した静脈データとを照合し、両者が「LLLLL」で一致するため、個人認証結果を「成功」とする。
【００５７】
一方で、照合部２１１は、照合対象データＹの投票日付（つまり、本日の日付）がサブテーブルＴＡＳに存在しない場合、照合対象データＹの自端末ＩＤに基づいて設置場所テーブルＴＡＬから取得した端末設置場所がサブテーブルＴＡＳに存在しない場合、または、照合対象データＹの静脈データと、サブテーブルＴＡＳにおいて、照合対象データＹの投票日付及び設置場所テーブルＴＡＬから取得した端末設置場所に対応する静脈データとが一致しない場合は、個人認証結果を「失敗」とする。
【００５８】
ステップＳＴ１２９では、通信部２２は、個人認証結果をキャッシュレス投票端末１０へ送信し、キャッシュレス投票端末１０の通信部１２は、個人認証結果を受信する。
【００５９】
次いで、ステップＳＴ１３１では、キャッシュレス投票端末１０の制御部１１は、会員情報サーバ２０から受信された個人認証結果が「成功」であるか「失敗」であるかを判断する。個人認証結果が「成功」である場合は（ステップＳＴ１３１：Ｙｅｓ）、処理はステップＳＴ１３３へ進み、個人認証結果が「失敗」である場合は（ステップＳＴ１３１：Ｎｏ）、ステップＳＴ１３３の処理が行われることなく、処理は終了する。
【００６０】
ステップＳＴ１３３では、制御部１１は、マークカードにより指定された投票内容を含む投票内容データを生成し、通信部１２は、生成された投票内容データを投票サーバ３０へ送信する。また、ステップＳＴ１３３では、投票サーバ３０は、投票内容データを受信する。
【００６１】
そして、ステップＳＴ１３５では、投票サーバ３０において投票内容データに基づいた投票内容が登録されることにより、投票が完了する。
【００６２】
以上のように、実施例１では、現金を使用せずに投票が可能なキャッシュレス投票端末１０は、制御部１１と、手のひら静脈センサ１０２と、会員カードリーダ１０３と、通信部１２とを有する。制御部１１は、キャッシュレス投票端末１０を使用した投票が本日の１回目の投票であるか本日の２回目以降の投票であるかを判断する。手のひら静脈センサ１０２は、キャッシュレス投票端末１０を使用した投票が本日の１回目の投票である場合、及び、本日の２回目以降の投票である場合の何れの場合も、投票者の静脈データを取得する。会員カードリーダ１０３は、キャッシュレス投票端末１０を使用した投票が本日の１回目の投票である場合は、会員ＩＤが記録された会員カードを読み取って会員カードから会員ＩＤを取得する一方で、キャッシュレス投票端末１０を使用した投票が本日の２回目以降の投票である場合は、会員カードに対する読取を行わない。通信部１２は、キャッシュレス投票端末１０を使用した投票が本日の１回目の投票である場合は、会員カードリーダ１０３によって取得された会員ＩＤと手のひら静脈センサによって取得された静脈データとを会員情報サーバ２０へ送信し、キャッシュレス投票端末１０を使用した投票が本日の２回目以降の投票である場合は、手のひら静脈センサ１０２によって取得された静脈データを会員情報サーバ２０へ送信する一方で会員ＩＤを送信しない。
【００６３】
これに対し、会員情報サーバ２０において、記憶部２３は、メイン対応付け及びサブ対応付けを記憶する。そして、照合部２１１は、キャッシュレス投票端末１０を使用した本日の１回目の投票では、１回目の投票に使用されたキャッシュレス投票端末１０によって取得された会員ＩＤ及び静脈データと、メイン対応付けとを照合して個人認証を行う。また、照合部２１１は、キャッシュレス投票端末１０を使用した本日の２回目以降の投票では、２回目以降の投票に使用されたキャッシュレス投票端末１０の設置場所、及び、２回目以降の投票に使用されたキャッシュレス投票端末１０によって取得された静脈データと、サブ対応付けとを照合して個人認証を行う。
【００６４】
こうすることで、キャッシュレス投票端末１０を使用して本日２回目以降の投票を行う投票者は、会員カードリーダ１０３に会員カードを翳す必要がなくなり、手のひら静脈センサ１０２に手のひらを翳すだけで投票を行うことが可能になる。このため、キャッシュレス投票端末１０を用いて投票を行う際の煩わしさを軽減することができるので、キャッシュレス投票端末１０の利用の促進を図ることができる。また、本日２回目以降の投票の際には会員カードの読取が不要になることに伴って、投票に要する時間を短縮することができるため、キャッシュレス投票端末１０を使用する投票者の回転率を上げることができる。また、本日２回目以降の投票の際には、キャッシュレス投票端末１０によって取得された静脈データの照合相手となる静脈データを端末設置場所に基づいて絞り込むことができるため、メインテーブルＴＡＭに設定されているすべての静脈データを照合相手にする場合に比べ、照合に要する時間を短縮することができる。
【００６５】
また、実施例１では、会員カードリーダ１０３は、キャッシュレス投票端末１０を使用した投票が本日の２回目以降の投票である場合でも、本日の２回目以降の投票における投票金額が閾値ＴＨ１以上である場合は、会員ＩＤが記録された会員カードを読み取って会員カードから会員ＩＤを取得する。また、通信部１２、キャッシュレス投票端末１０を使用した投票が本日の２回目以降の投票である場合でも、本日の２回目以降の投票における投票金額が閾値ＴＨ１以上である場合は、会員カードリーダ１０３によって取得された会員ＩＤと手のひら静脈センサによって取得された静脈データとを会員情報サーバ２０へ送信する。
【００６６】
これに対し、会員情報サーバ２０の照合部２１１は、キャッシュレス投票端末１０を使用した本日の２回目以降の投票でも、本日の２回目以降の投票における投票金額が閾値ＴＨ１以上である場合は、本日の２回目以降の投票に使用されたキャッシュレス投票端末１０によって取得された会員ＩＤ及び静脈データと、メイン対応付けとを照合して個人認証を行う。
【００６７】
こうすることで、投票金額が高額な場合には改めて会員ＩＤの有効性を確認した上で個人認証を行うことができるため、投票金額が高額な場合のセキュリティを高めることができる。
【００６８】
［実施例２］
＜キャッシュレス投票端末のハードウェア構成＞
キャッシュレス投票端末１０は、例えば、次のようなハードウェア構成により実現することができる。図１０は、実施例２のキャッシュレス投票端末のハードウェア構成例を示す図である。図１０において、キャッシュレス投票端末１０は、ハードウェアの構成要素として、プロセッサ１０ａと、メモリ１０ｂと、ディスクドライブ１０ｃと、ネットワークインタフェースモジュール１０ｄと、印刷機構１０ｅと、タッチパネル１０１と、手のひら静脈センサ１０２と、会員カードリーダ１０３と、マークカードリーダ１３とを有する。プロセッサ１０ａの一例として、ＣＰＵ（Central  Processing  Unit）、ＤＳＰ（Digital  Signal  Processor）、ＦＰＧＡ（Field  Programmable  Gate  Array）等が挙げられる。メモリ１０ｂの一例として、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【００６９】
制御部１１は、例えばプロセッサ１０ａによって実現される。通信部１２は、例えばネットワークインタフェースモジュール１０ｄによって実現される。印刷部１４は、例えば印刷機構１０ｅによって実現される。
【００７０】
また、キャッシュレス投票端末１０の上記説明における各処理は、各処理に対応するプログラムをプロセッサ１０ａに実行させることによって実現しても良い。例えば、上記説明における各処理に対応するプログラムがメモリ１０ｂまたはディスクドライブ１０ｃに記憶され、プログラムがプロセッサ１０ａによってメモリ１０ｂまたはディスクドライブ１０ｃから読み出されて実行されても良い。
【００７１】
＜会員情報サーバのハードウェア構成＞
会員情報サーバ２０は、例えば、次のようなハードウェア構成により実現することができる。図１１は、実施例２の会員情報サーバのハードウェア構成例を示す図である。図１１において、会員情報サーバ２０は、ハードウェアの構成要素として、プロセッサ２０ａと、メモリ２０ｂと、ディスクドライブ２０ｃと、ネットワークインタフェースモジュール２０ｄとを有する。プロセッサ２０ａの一例として、ＣＰＵ、ＤＳＰ、ＦＰＧＡ等が挙げられる。メモリ２０ｂの一例として、ＳＤＲＡＭ等のＲＡＭ、ＲＯＭ、フラッシュメモリ等が挙げられる。
【００７２】
制御部２１は、例えばプロセッサ２０ａによって実現される。通信部２２は、例えばネットワークインタフェースモジュール２０ｄによって実現される。記憶部２３は、例えばメモリ２０ｂまたはディスクドライブ２０ｃによって実現される。
【００７３】
また、会員情報サーバ２０の上記説明における各処理は、各処理に対応するプログラムをプロセッサ２０ａに実行させることによって実現しても良い。例えば、上記説明における各処理に対応するプログラムがメモリ２０ｂまたはディスクドライブ２０ｃに記憶され、プログラムがプロセッサ２０ａによってメモリ２０ｂまたはディスクドライブ２０ｃから読み出されて実行されても良い。
【符号の説明】
【００７４】
１  公営競技投票システム
１０  キャッシュレス投票端末
２０  会員情報サーバ
３０  投票サーバ
１１，２１  制御部
１２，２２  通信部
１０２  手のひら静脈センサ
１０３  会員カードリーダ
【図１】
2019128656.tif 000003
【図２】
2019128656.tif 000004
【図３】
2019128656.tif 000005
【図４】
2019128656.tif 000006
【図５】
2019128656.tif 000007
【図６】
2019128656.tif 000008
【図７】
2019128656.tif 000009
【図８】
2019128656.tif 000010
【図９】
2019128656.tif 000011
【図１０】
2019128656.tif 000012
【図１１】
2019128656.tif 000013